(57)【要約】【課題】複数機種のポンプ装置を用意することなく、ケーシングの吸込用接続口体の位置を現場の状況に応じてその場で変更できるようにする。【解決手段】正逆回転可能なモータ２と、このモータ２側に設けられた取付フレーム５と、この取付フレーム５に取り付けられ、内部にモータ２によって回転されるインペラ７を備えるケーシング６と、このケーシング６の周側面部にその周方向に９０度変位して配設された吸込用接続口体１０、及び吐出用接続口体９と、ケーシング６の一面側に設けられた第１の取付面部１２と、ケーシング６の他面側に第１の取付面部１２と同一の形状で対称的に設けられた第２の取付面部１３とを具備し、ケーシング６はモータ２側の取付フレーム５に対し、第１の取付面部１２側、或いは第２の取付面部１３側から選択的に取り付けることにより、吸込用接続口体１０の位置を１８０度可変する。【選択図】      図１
2010185305.tif 000002
【特許請求の範囲】
【請求項１】
正逆回転可能なモータと、
このモータ側に設けられた取付フレームと、
この取付フレームに取り付けられ、内部に前記モータによって回転されるインペラを備えたケーシングと、
このケーシングの周側面部にその周方向に９０度変位して配設された吸込用接続口体、及び吐出用接続口体と、
前記ケーシングの一面側に設けられた第１の取付面部と、
前記ケーシングの他面側に前記第１の取付面部と同一の形状で対称的に設けられた第２の取付面部とを具備し、
前記ケーシングは前記モータ側の取付フレームに対し、前記第１の取付面部側、或いは前記第２の取付面部側から選択的に着脱自在に取り付けらることにより、前記吸込用接続口体の位置を１８０度可変することを特徴とするポンプ装置。
【請求項２】
前記ケーシングの前記第１及び第２の取付面部にそれぞれ設けられた挿通孔と、
前記モータ側の取付フレームに設けられ、前記挿通孔に対向する挿通孔と、
前記ケーシングの前記第１及び第２の取付面部の挿通孔を介して前記取付フレームの挿通孔に挿通されるボルトと、
このボルトの挿通端側に螺着されて前記ケーシングを前記取付フレームに着脱自在に締結するナットと
を具備することを特徴とする請求項１記載のポンプ装置。
【請求項３】
前記第１及び第２の取付面部の挿通孔と、前記取付フレームの挿通孔は、前記ケーシングの周方向に沿って所定角度毎に複数配設されたことを特徴とする請求項２記載のポンプ装置。
【請求項４】
前記ケーシングが前記第１の取付面部側から取り付けられた場合には、前記モータを正方向に回転駆動させ、前記ケーシングが前記第２の取付面部側から取り付けられた場合には、前記モータを逆方向に回転駆動させることを特徴とする請求項１記載のポンプ装置。
【発明の詳細な説明】
【技術分野】
【０００１】
本発明はポンプ装置に係わり、特に、ゴムインペラを内蔵するケーシングの取付構造に関する。
【背景技術】
【０００２】
この種のポンプ装置はモータによりケーシング内のゴムインペラを回転駆動させてケーシングの吸込用接続口体側から水を吸引したのち、この水を圧縮してケーシングの吐出用接続口体側から吐出させている。
【０００３】
このポンプ装置には、ケーシングの上部側に吐出用接続口体を設け、この吐出用接続口体からケーシングの周方向に沿って９０度変位した位置に吸込用接続口体を設けるものがある。
【０００４】
ところで、この種のポンプ装置は自吸性能（吸上性能）が良く、異物に対しても詰まり難いことから特殊用途、例えば、船舶内に溜まるビルジ水の吸い上げに用いられたり（例えば、特許文献１参照。）、或いは、酒造工場のもろ味の搬送などに用いられている。
【０００５】
このポンプ装置が設置される船舶内や酒造工場内のエリアには、他の機械製品が多数配設されることが多く、ポンプ装置の設置位置は他の機械製品との関係で決まり、吸込配管の配置位置も制約を受けている。
【特許文献１】特開平１１−２０８５９３号公報
【発明の開示】
【発明が解決しようとする課題】
【０００６】
しかしながら、従来においては、ケーシングの吸込用接続口体の位置が定位置に固定されていたため、吸込配管の配置位置によっては、吸込配管をケーシングの吸込用接続口体に接続することが困難になるという問題があった。
【０００７】
そこで、従来においては、ケーシングの吸込用接続口体の位置を異ならせたポンプ装置を複数機種用意することにより、吸込配管の配置位置に対応できるようにしている。
【０００８】
しかしながら、複数機種のポンプ装置を用意した場合には、在庫の増加を招くとともに、トータル的なコストの増加を招くという問題があった。
【０００９】
また、顧客も事前にケーシングの吸込用接続口体の取付位置を確認してから購入しなければならず、面倒なものとなっている。
【００１０】
本発明は上記事情に着目してなされたもので、その目的とするところは、在庫の増加やコストの増加を招くことなく、かつ、事前に機種を確認することなく、ケーシングの吸込用接続口体に吸込配管を接続できるようにしたポンプ装置を提供することにある。
【課題を解決するための手段】
【００１１】
上記課題を解決するため、請求項１記載のものは、正逆回転可能なモータと、このモータ側に設けられた取付フレームと、この取付フレームに取り付けられ、内部に前記モータによって回転されるインペラを備えたケーシングと、このケーシングの周側面部にその周方向に９０度変位して配設された吸込用接続口体、及び吐出用接続口体と、前記ケーシングの一面側に設けられた第１の取付面部と、前記ケーシングの他面側に前記第１の取付面部と同一の形状で対称的に設けられた第２の取付面部とを具備し、前記ケーシングは前記モータ側の取付フレームに対し、前記第１の取付面部側、或いは前記第２の取付面部側から選択的に着脱自在に取り付けることにより、前記吸込用接続口体の位置を１８０度可変することを特徴とする。
【発明の効果】
【００１２】
本発明によれば、在庫の増加やコストの増加を招くことなく、かつ、事前に機種を確認することなく、ケーシングの吸込用接続口体に吸込配管を接続できるようにしたポンプ装置を提供できる。
【発明を実施するための最良の形態】
【００１３】
以下、本発明の実施の形態を図面を参照して詳細に説明する。  
図１は本発明の一実施の形態であるポンプ装置を示す正面図である。
【００１４】
このポンプ装置は、例えば、船舶の機関室内に設置されて機関室内に溜まるビルジ水を吸上げて排水するものである。
【００１５】
図中１はベースで、このベース１上には正逆回転可能な例えば、三相誘導電動機（以下、単にモータという）２が設けられている。このモータ２の前面部側には取付フレーム５を介してベーンポンプ３が取り付けらている。ベーンポンプ３は図２にも示すようにケーシング６と、このケーシング６の収納室６ａ内に回転自在に設けられるゴムインぺラ７とによって構成されている。このゴムインぺラ７はモータ２の回転シャフト２ａに接続され、正方向、或いは逆方向に回転駆動されるようになっている。
【００１６】
ケーシング６の上面部には吐出配管を接続するための吐出用接続口体９、一側面部には吸込配管を接続するための吸込用接続口体１０が配設されている。これら吐出用及び吸込用の接続口体９，１０は、ケーシング６の周方向に沿って９０度変位された位置に配置されている。
【００１７】
ところで、ケーシング６は、図３に示すように、その一面側に第１の取付面部１２、他面側に第１の取付面部１２と同形状をなす第２の取付面部１３を配設し、ゴムインぺラ７の中心を通る中心線１５を中心として左右対称に構成されている。
【００１８】
第１及び第２の取付面部１２，１３には、図４にも示すようにそれぞれケーシング６の周方向に沿って９０度間隔で４個の挿通孔１７が穿設されている。第１及び第２の取付面部１２，１３の挿通孔１７は互いに対向され、固定具としての締結ボルト１８が挿通されるようになっている。
【００１９】
また、モータ２側の取付フレーム５には、図１に示すようにその周方向に沿って９０度間隔で４個の挿通孔（一個のみ図示）２０が穿設されている。これら挿通孔２０は上記した第１及び第２の取付面部１２，１３の挿通孔１７に対向されている。
【００２０】
締結ボルト１８はケーシング６側から第１及び第２の取付面部１２，１３の挿通孔１７を介して取付フレーム５の挿通孔２０に挿通され、その挿通端側にナット２１が螺着されることによりケーシング６が取付フレーム５に締結されている。
【００２１】
なお、第１及び第２の取付面部１２，１３、さらに取付フレーム５に穿設される挿通孔１７、２０は、９０度間隔ではなく、例えば、４５度間隔、或いは３０度間隔で穿設してもよい。
【００２２】
上記したように構成されるポンプ装置において、例えば、モータ２が正方向に回転駆動されると、図２に示すようにゴムインペラ７が矢印で示すように反時計方向に回転される。これにより、水が吸込管及び吸込用接続口体１０を介してケーシング６の収納室６ａ内に吸引されたのち、圧縮されて吐出用接続口体９を介して吐出管に吐出され、排水側に送られる。
【００２３】
ところで、上記したように構成されるポンプ装置は、工場から出荷されて例えば図２に示す状態で船舶の機械室内に設置されるが、吸込管がケーシング６の吸込用接続口体１０に対し、例えば１８０度反対側に位置するような場合には、吸込管をケーシング６の吸込用接続口体１０に接続することが困難になる。
【００２４】
そこで、本願発明では、モータ２に対するケーシング６の取付方向を反転させてその吸込用接続口体１０の位置を１８０度変更する。
【００２５】
即ち、図２に示す状態から締結用ボルト１８を外してケーシング６をゴムインペラ７ごとモータ２の取付フレーム５から取り外す。そして、このケーシング６を図４に示す状態からその中心線１５を中心として図５に示すように１８０度反転させて向きを変更する。ついで、ケーシング６を第２の取付面部１３側から取付フレーム５に重ね合わせてその挿通孔１７を取付フレーム５の挿通孔２０に対向させる。この状態からケーシング６の第１の取付面部１２側からその挿通孔１７内に締結ボルト１８をそれぞれ挿入する。そして、これら締結ボルト１８を第２の取付面部１３の挿通孔１７を介して取付フレーム５の挿通孔２０内に挿通させ、その挿通端側にナット２１を螺着してケーシング６を図６に示すように取付フレーム５に締結する。これにより、吸込用接続口体１０は１８０度変位して左側から右側に位置が変更されることになる。
【００２６】
このようにケーシング６を逆向きに取り付けたのち、吸込用接続口体１０に吸込配管を接続してモータ２を逆回転させると、ゴムインペラ７が矢印で示すように時計方向に回転される。これにより、吸込用接続口体１０に吸込力が発生し、ケーシング６の右方向からの吸い込みが可能となる。
【００２７】
上記したように、この実施の形態によれば、周側面部にその周方向に９０度変位して吐出用接続口体９と吸込用接続口体１０とを配置するケーシング６の一面側に第１の取付面部１２、他面側に第２の取付面部１３を対称的に配置し、モータ２の取付フレーム５に対し、ケーシング６をその第１の取付面部１２、或いは第２の取付面部１３側から選択的に取付可能とするため、現場の状況に応じて、その場でケーシング６の吸込用接続口体１０の位置を１８０度変更することができる。
【００２８】
従って、従来のように、ケーシング６の吸込用接続口体１０の位置を異ならせたポンプ装置を複数機種用意する必要がなく、在庫の増加を招くことがないとともに、トータル的なコストの増加も抑制できる。
【００２９】
また、購入に際し、顧客が事前にケーシング６の吸込用接続口体１０の位置を確認する必要もなく、面倒がない。
【００３０】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【図面の簡単な説明】
【００３１】
【図１】本発明の一実施の形態であるポンプ装置を示す側面図。
【図２】図１のポンプ装置を示す正面図。
【図３】図１のケーシングを示す側面図。
【図４】図１のケーシングを示す正面図。
【図５】図１のケーシングを１８０度逆向きにした状態を示す正面図。
【図６】図５のケーシングをモータ側の取付フレームに取り付けた状態を示す図。
【符号の説明】
【００３２】
２…モータ、５…取付フレーム、６…ケーシング、７…インペラ、９…吐出用接続口体、１０…吸込用接続口体、１２…第１の取付面部、１３…第２の取付面部、１７…挿通孔
、１８…ボルト、２１…ナット。
【図１】
2010185305.tif 000003
【図２】
2010185305.tif 000004
【図３】
2010185305.tif 000005
【図４】
2010185305.tif 000006
【図５】
2010185305.tif 000007
【図６】
2010185305.tif 000008